【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
2つ以上のコンパクト多重パス変換(CMPT)のリストへのインデックスを受信するステップと、
前記インデックスに基づいて、CMPTの前記リストからCMPTを決定するステップと、
前記ビデオデータの現在ピクチャの符号化された表現を含むビットストリーム中のシンタックス要素に基づいて、前記現在ピクチャの現在ブロックに関する複数のデータ要素を決定するステップと、
前記現在ブロックに関する残差値を導出するために、前記データ要素に前記CMPTを適用するステップであって、
前記CMPTを適用するステップは、ベクトル変換のシーケンスを適用するステップを含み、前記ベクトル変換の各々は、並行して実行可能である複数の逆ギブンス直交変換を含み、
前記ベクトル変換のシーケンスの第1のベクトル変換に関する入力値は、前記複数のデータ要素を含み、
前記ベクトル変換のシーケンスの最後のベクトル変換に関する出力値は、前記現在ブロックに関する前記残差値を含み、
前記ベクトル変換のシーケンスの前記第1のベクトル変換以外の前記ベクトル変換のシーケンスの各々それぞれのベクトル変換に関して、前記それぞれのベクトル変換に関する入力値は、前記ベクトル変換のシーケンスのそれぞれの先行ベクトル変換の出力値を含み、前記それぞれのベクトル変換における前記逆ギブンス直交変換の各々それぞれの逆ギブンス直交変換は、前記ベクトル変換に関する入力値のそれぞれのペアに適用され、
前記ベクトル変換のシーケンスの各々それぞれのベクトル変換はさらに、入力として、前記それぞれのベクトル変換に関するそれぞれのパラメータベクトルを受け取り、前記それぞれのベクトル変換における各々それぞれの逆ギブンス直交変換は、前記それぞれのベクトル変換に関する前記それぞれのパラメータベクトルにおけるそれぞれの角度θによってパラメータ化される、ステップと、
前記導出された残差データに基づいて、前記現在ピクチャのサンプルを再構成するステップと
を含む方法。
【請求項２】
前記ビットストリーム中の1つまたは複数のシンタックス要素に基づいて、有効な変換のセットを決定するステップをさらに含み、前記ベクトル変換のシーケンスにおける各々それぞれのベクトル変換は、前記有効な変換のセットのメンバーである、請求項1に記載の方法。
【請求項３】
前記ベクトル変換のシーケンスのベクトル変換に関して、前記ビットストリーム中の1つまたは複数のシンタックス要素に基づいて、前記有効な変換のセットに関するパラメータベクトルにおける許容パラメータを決定するステップ
をさらに含む、請求項2に記載の方法。
【請求項４】
前記ベクトル変換のシーケンスの各々それぞれのベクトル変換に関して、前記それぞれのベクトル変換に関する前記それぞれのパラメータベクトルにおけるパラメータの数は、前記それぞれのベクトル変換に関する入力値の数の1/2に等しい、請求項1に記載の方法。
【請求項５】
前記ベクトル変換のシーケンスの各々それぞれのベクトル変換に関して、前記それぞれのベクトル変換に関する前記それぞれのパラメータベクトルにおけるパラメータの事前計算された値を記憶するステップ
をさらに含む、請求項1に記載の方法。
【請求項６】
ビデオデータを符号化する方法であって、
前記ビデオデータの現在ピクチャの現在ブロックに関する残差値を決定するステップと、
2つ以上のコンパクト多重パス変換(CMPT)のリストからCMPTを決定するステップと、
前記現在ブロックに関する複数のデータ要素を導出するために、前記現在ブロックに関する前記残差値に前記CMPTを適用するステップであって、前記現在ブロックに関する前記残差値に前記CMPTを適用するステップは、ベクトル変換のシーケンスを適用するステップを含み、前記ベクトル変換の各々は、並行して実行可能である複数のギブンス直交変換を含み、
前記ベクトル変換のシーケンスの第1のベクトル変換に関する入力値は、前記現在ブロックに関する前記残差値を含み、
前記ベクトル変換のシーケンスの最後のベクトル変換の出力値は、前記現在ブロックに関する前記データ要素を含み、
前記ベクトル変換のシーケンスの前記第1のベクトル変換以外の前記ベクトル変換のシーケンスの各々それぞれのベクトル変換に関して、前記それぞれのベクトル変換に関する入力値は、前記ベクトル変換のシーケンスのそれぞれの先行ベクトル変換の出力値を含み、前記それぞれのベクトル変換における前記ギブンス直交変換の各々それぞれのギブンス直交変換は、前記ベクトル変換に関する入力値のそれぞれのペアに適用され、
前記ベクトル変換のシーケンスの各々それぞれのベクトル変換はさらに、入力として、前記それぞれのベクトル変換に関するそれぞれのパラメータベクトルを受け取り、前記それぞれのベクトル変換における各々それぞれのギブンス直交変換は、前記それぞれのベクトル変換に関する前記それぞれのパラメータベクトルにおけるそれぞれの角度θによってパラメータ化される、ステップと、
2つ以上のCMPTの前記リストへのインデックスをシグナリングするステップであって、前記インデックスは前記CMPTを示す、ステップと、
前記現在ピクチャの符号化された表現を含むビットストリームに、前記現在ブロックに関する前記データ要素に基づく値を有するシンタックス要素を含めるステップと
を含む方法。
【請求項７】
前記ビットストリーム中で、有効な変換のセットをシグナリングするステップをさらに含み、前記ベクトル変換のシーケンスにおける各々それぞれのベクトル変換は、前記有効な変換のセットのメンバーである、請求項6に記載の方法。
【請求項８】
前記ベクトル変換のシーケンスのベクトル変換に関して、前記ビットストリーム中で、前記有効な変換のセットに関するパラメータベクトルにおける許容パラメータをシグナリングするステップ
をさらに含む、請求項7に記載の方法。
【請求項９】
前記ベクトル変換のシーケンスの各々それぞれのベクトル変換に関して、前記それぞれのベクトル変換に関する前記それぞれのパラメータベクトルにおけるパラメータの数は、前記それぞれのベクトル変換に関する入力値の数の1/2に等しい、請求項6に記載の方法。
【請求項１０】
前記ベクトル変換のシーケンスの各々それぞれのベクトル変換に関して、前記それぞれのベクトル変換に関する前記それぞれのパラメータベクトルにおけるパラメータの事前計算された値を記憶するステップをさらに含む、請求項6に記載の方法。
【請求項１１】
ビデオデータを復号するためのデバイスであって、
符号化されたビデオデータを記憶するように構成された1つまたは複数の記憶媒体と、
ビデオデコーダと
を含み、前記ビデオデコーダは、
2つ以上のコンパクト多重パス変換(CMPT)のリストへのインデックスを受信することと、
前記インデックスに基づいて、CMPTの前記リストからCMPTを決定することと、
前記ビデオデータの現在ピクチャの符号化された表現を含むビットストリーム中のシンタックス要素に基づいて、前記現在ピクチャの現在ブロックに関する複数のデータ要素を決定することと、
前記現在ブロックに関する残差値を導出するために、前記データ要素に前記CMPTを適用することであって、
前記ビデオデコーダは、前記データ要素に前記CMPTを適用することの一部として、前記ビデオデコーダがベクトル変換のシーケンスを適用するように構成され、前記ベクトル変換の各々は、並行して実行可能である複数の逆ギブンス直交変換を含み、
前記ベクトル変換のシーケンスの第1のベクトル変換に関する入力値は、前記複数のデータ要素を含み、
前記ベクトル変換のシーケンスの最後のベクトル変換に関する出力値は、前記現在ブロックに関する前記残差値を含み、
前記ベクトル変換のシーケンスの前記第1のベクトル変換以外の前記ベクトル変換のシーケンスの各々それぞれのベクトル変換に関して、前記それぞれのベクトル変換に関する入力値は、前記ベクトル変換のシーケンスのそれぞれの先行ベクトル変換の出力値を含み、前記それぞれのベクトル変換における前記逆ギブンス直交変換の各々それぞれの逆ギブンス直交変換は、前記ベクトル変換に関する入力値のそれぞれのペアに適用され、
前記ベクトル変換のシーケンスの各々それぞれのベクトル変換はさらに、入力として、前記それぞれのベクトル変換に関するそれぞれのパラメータベクトルを受け取り、前記それぞれのベクトル変換における各々それぞれの逆ギブンス直交変換は、前記それぞれのベクトル変換に関する前記それぞれのパラメータベクトルにおけるそれぞれの角度θによってパラメータ化される、適用することと、
前記導出された残差データに基づいて、前記現在ピクチャのサンプルを再構成することと
を行うように構成される、デバイス。
【請求項１２】
前記ベクトル変換のシーケンスの各々それぞれのベクトル変換に関して、前記それぞれのベクトル変換に関する前記それぞれのパラメータベクトルにおけるパラメータの事前計算された値を記憶するメモリをさらに含む、請求項11に記載のデバイス。
【請求項１３】
ビデオデータを符号化するためのデバイスであって、
ビデオデータを記憶するように構成された1つまたは複数の記憶媒体と、
ビデオエンコーダと
を含み、前記ビデオエンコーダは、
前記ビデオデータの現在ピクチャの現在ブロックに関する残差値を決定することと、
2つ以上のコンパクト多重パス変換(CMPT)のリストからCMPTを決定することと、
前記現在ブロックに関する複数のデータ要素を導出するために、前記現在ブロックに関する前記残差値に前記CMPTを適用することであって、前記ビデオエンコーダは、前記現在ブロックに関する前記残差値に前記CMPTを適用することの一部として、前記ビデオエンコーダがベクトル変換のシーケンスを適用するように構成され、前記ベクトル変換の各々は、並行して実行可能である複数のギブンス直交変換を含み、
前記ベクトル変換のシーケンスの第1のベクトル変換に関する入力値は、前記現在ブロックに関する前記残差値を含み、
前記ベクトル変換のシーケンスの最後のベクトル変換の出力値は、前記現在ブロックに関する前記データ要素を含み、
前記ベクトル変換のシーケンスの前記第1のベクトル変換以外の前記ベクトル変換のシーケンスの各々それぞれのベクトル変換に関して、前記それぞれのベクトル変換に関する入力値は、前記ベクトル変換のシーケンスのそれぞれの先行ベクトル変換の出力値を含み、前記それぞれのベクトル変換における前記ギブンス直交変換の各々それぞれのギブンス直交変換は、前記ベクトル変換に関する入力値のそれぞれのペアに適用され、
前記ベクトル変換のシーケンスの各々それぞれのベクトル変換はさらに、入力として、前記それぞれのベクトル変換に関するそれぞれのパラメータベクトルを受け取り、前記それぞれのベクトル変換における各々それぞれのギブンス直交変換は、前記それぞれのベクトル変換に関する前記それぞれのパラメータベクトルにおけるそれぞれの角度θによってパラメータ化される、適用することと、
2つ以上のCMPTの前記リストへのインデックスをシグナリングすることであって、前記インデックスは前記CMPTを示す、シグナリングすることと、
前記現在ピクチャの符号化された表現を含むビットストリームに、前記現在ブロックに関する前記データ要素に基づく値を有するシンタックス要素を含めることと
を行うように構成される、デバイス。
【請求項１４】
前記ベクトル変換のシーケンスの各々それぞれのベクトル変換に関して、前記それぞれのベクトル変換に関する前記それぞれのパラメータベクトルにおけるパラメータの事前計算された値を記憶するメモリをさらに含む、請求項13に記載のデバイス。
【請求項１５】
1つまたは複数のプロセッサによって実行されると、前記1つまたは複数のプロセッサに請求項1から10のいずれか一項に記載の方法を実行させる命令を記憶している、コンピュータ可読記憶媒体。